(57)【特許請求の範囲】
【請求項１】
厚みが互いに異なる２種類のドアに適用可能な明り窓であって、
閉成時にドアが仕切る一方の空間と他方の空間とを連通するように形成されたドアの窓孔に、当該一方の空間側から嵌合される第１の部材と、当該他方の空間側から嵌合される第２の部材とから成り、
前記第１の部材及び第２の部材の両者の形状は、同一平面上で所定の角度回転させても互いの合同関係を保持する形状をなし、
前記第１の部材及び第２の部材の両者は、前記窓孔の開口を塞ぐ採光部と、前記窓孔内に嵌め込まれたときに前記採光部の周縁部が鍔となるようにその嵌合方向に沿って突出した筒状の嵌入部と、互いに対をなす第１の部材及び第２の部材の両者の嵌入部同士を互いに結合する結合手段とを備え、
前記第１の部材及び第２の部材の両者の嵌入部には、互いに線対称関係を有する複数の凹状領域と、互いに線対称関係を有する複数の凸状領域とが交互に形成され、
前記第１の部材及び第２の部材の両者の凹状領域の長さ寸法は、当該凹状領域の凹み空間内に対をなす第１の部材及び第２の部材の凸状領域が収まるように設定されている
ことを特徴とする明り窓。
【請求項２】
請求項１に記載の明り窓において、
前記第１の部材及び第２の部材の両者の結合手段は、
前記嵌入部の凹状領域の一側端部に形成された第１の被係合部と、前記嵌入部の凸状領域の一側端部に形成された第２の被係合部と、前記嵌入部の凸状領域の一側端部において、前記第１の被係合部及び第２の被係合部に挟まれるようにして当該凸状領域の端面よりも前記嵌合方向に沿って突出して形成された係合部とを含み、
前記第１の部材及び第２の部材の両者の嵌入部同士を結合する際には、第１の部材側の係合部の端部が前記第１の部材と対をなす第２の部材側の第１の被係合部又は第２の被係合部に係合される一方、第２の部材側の係合部の端部が前記第２の部材と対をなす第１の部材側の第１の被係合部又は第２の被係合部に係合される
ことを特徴とする明り窓。
【請求項３】
請求項２に記載の明り窓において、
前記第１の部材及び第２の部材の両者の第１の被係合部、第２の被係合部及び係合部は、同一の角度を以って位相した位置に配置されている
ことを特徴とする明り窓。
【請求項４】
請求項１に記載の明り窓をドアに取り付けるための構造であって、
前記厚みが小の方のドアに前記明り窓を取り付ける際には、前記第１の部材の凹状領域の端面及び前記第２の部材の凸状領域の端面同士が合わさり、且つ、前記第１の部材の凸状領域の端面及び第２の部材の凹状領域の端面同士が合わさるように、前記第１の部材及び第２の部材の両者の嵌入部が前記窓孔内に嵌め込まれた状態で当該嵌入部同士が前記結合手段によって互いに結合され、
前記厚みが大の方のドアに前記明り窓を取り付ける際には、前記第１の部材の凸状領域の端面及び第２の部材の凸状領域の端面同士が合わさるように、前記第１の部材及び第２の部材の両者の嵌入部が前記窓孔内に嵌め込まれた状態で当該嵌入部同士が前記結合手段によって互いに結合されている
ことを特徴とする明り窓の取付構造。
【請求項５】
請求項２又は３に記載の明り窓をドアに取り付けるための構造であって、
前記厚みが小の方のドアに前記明り窓を取り付ける際には、前記第１の部材の凹状領域の端面及び前記第２の部材の凸状領域の端面同士が合わさり、且つ、前記第１の部材の凸状領域の端面及び第２の部材の凹状領域の端面同士が合わさるように、前記第１の部材及び第２の部材の両者の嵌入部各々が前記窓孔内に嵌め込まれると共に、前記第１の部材側の係合部の端部が前記第１の部材と対をなす第２の部材側の凹状領域の第１の被係合部に係合される一方、前記第２の部材側の係合部の端部が前記第２の部材と対をなす第１の部材側の凹状領域の第１の被係合部に係合され、
前記厚みが大の方のドアに前記明り窓を取り付ける際には、前記第１の部材の凸状領域の端面及び前記第２の部材の凸状領域の端面同士が合わさるように、前記第１の部材及び第２の部材の両者の嵌入部各々が前記窓孔内に嵌め込まれると共に、前記第１の部材側の係合部の端部が前記第１の部材と対をなす第２の部材側の凸状領域の第２の被係合部に係合される一方、前記第２の部材側の係合部の端部が前記第２の部材と対をなす第１の部材側の凸状領域の第２の被係合部に係合されている
ことを特徴とする明り窓の取付構造。
【発明の詳細な説明】
【技術分野】
【０００１】
本発明は、ドアの窓孔に嵌め込まれる明り窓及びその取付構造に関する。
【背景技術】
【０００２】
例えば、特許文献１には、ドアの明り窓を、透明ガラスとブロンズフィルムと樹脂製断熱材と型板ガラスとを複合した断熱合わせガラスにより構成し、この断熱合わせガラスとアルミガラス枠との間に断熱シールを介装した、明り窓付き断熱ドアが提案されている。
【０００３】
【特許文献１】特開平７−１１３３８５号公報
【発明の開示】
【発明が解決しようとする課題】
【０００４】
しかしながら、上記特許文献１に開示されている明り窓付き断熱ドアでは、明り窓の採光部に断熱合わせガラスを嵌装し、十分な採光面積を具備させながら、断熱と安全・防犯性を具備させることが可能であるものの、以下の問題点が指摘されている。
【０００５】
（１）特許文献１に係る明り窓付き断熱ドアでは、明り窓を上記複合断熱合わせガラスで構成し、この複合断熱合わせガラスをアルミガラス枠内に嵌め込み挟持させており、明り窓の強度などを保持する観点から、アルミガラス枠の枠溝の寸法がドアの厚みに応じて変更されるが、この枠溝寸法の変更に伴って複合断熱合わせガラスの厚みも変更しなければならないので、１つの明り窓で互いに厚みの異なる２種類のドア間で共用することができない。
【０００６】
（２）特許文献１に係る明り窓付き断熱ドアでは、上記複合断熱合わせガラスから構成される明り窓を断熱ドアに予め組み込んだ状態で運搬・施工しなければならず、ドアの運搬時や施工時において明り窓に破損などが生じる虞がある。
【０００７】
本発明は、上記技術的課題に鑑みなされたもので、互いに厚みの異なる２種類のドア間での共用を可能とし、且つ、ドアの運搬時や施工時に破損などが生じない、明り窓及びその取付構造の提供を目的とする。
【課題を解決するための手段】
【０００８】
上記目的を達成するため、本発明は、厚みが互いに異なる２種類のドアに適用可能な明り窓であって、閉成時にドアが仕切る一方の空間と他方の空間とを連通するように形成されたドアの窓孔に、当該一方の空間側から嵌合される第１の部材と、当該他方の空間側から嵌合される第２の部材とから成り、前記第１の部材及び第２の部材の両者の形状は、同一平面上で所定の角度回転させても互いの合同関係を保持する形状をなし、前記第１の部材及び第２の部材の両者は、前記窓孔の開口を塞ぐ採光部と、前記窓孔内に嵌め込まれたときに前記採光部の周縁部が鍔となるようにその嵌合方向に沿って突出した筒状の嵌入部と、互いに対をなす第１の部材及び第２の部材の両者の嵌入部同士を互いに結合する結合手段とを備え、前記第１の部材及び第２の部材の両者の嵌入部には、互いに線対称関係を有する複数の凹状領域と、互いに線対称関係を有する複数の凸状領域とが交互に形成され、前記第１の部材及び第２の部材の両者の凹状領域の長さ寸法は、当該凹状領域の凹み空間内に対をなす第１の部材及び第２の部材の凸状領域が収まるように設定されている。
【０００９】
また、本発明では、前記第１の部材及び第２の部材の両者の結合手段は、前記嵌入部の凹状領域の一側端部に形成された第１の被係合部と、前記嵌入部の凸状領域の一側端部に形成された第２の被係合部と、前記嵌入部の凸状領域の一側端部において、前記第１の被係合部及び第２の被係合部に挟まれるようにして当該凸状領域の端面よりも前記嵌合方向に沿って突出して形成された係合部とを含み、前記第１の部材及び第２の部材の両者の嵌入部同士を結合する際には、第１の部材側の係合部の端部が前記第１の部材と対をなす第２の部材側の第１の被係合部又は第２の被係合部に係合される一方、第２の部材側の係合部の端部が前記第２の部材と対をなす第１の部材側の第１の被係合部又は第２の被係合部に係合されることが好ましい。
【００１０】
この場合、同一規格の厚みのドアに明り窓を取り付ける際に、明り窓自体でドアの公差を吸収することができる。
【００１１】
さらに、本発明では、  前記第１の部材及び第２の部材の両者の第１の被係合部、第２の被係合部及び係合部は、同一の角度を以って位相した位置に配置されていることが好ましい。
【００１２】
この場合、第１の部材及び第２の部材の第１の被係合部又は第２の被係合部と係合部との位置合わせが容易となる。
【００１３】
さらにまた、上記明り窓をドアに取り付けるための構造は、前記厚みが小の方のドアに前記明り窓を取り付ける際には、前記第１の部材の凹状領域の端面及び前記第２の部材の凸状領域の端面同士が合わさり、且つ、前記第１の部材の凸状領域の端面及び第２の部材の凹状領域の端面同士が合わさるように、前記第１の部材及び第２の部材の両者の嵌入部が前記窓孔内に嵌め込まれた状態で当該嵌入部同士が前記結合手段によって互いに結合され、前記厚みが大の方のドアに前記明り窓を取り付ける際には、前記第１の部材の凸状領域の端面及び第２の部材の凸状領域の端面同士が合わさるように、前記第１の部材及び第２の部材の両者の嵌入部が前記窓孔内に嵌め込まれた状態で当該嵌入部同士が前記結合手段によって互いに結合されている。
【００１４】
ここで、上記明り窓をドアに取り付けるための詳細な構造は、前記厚みが小の方のドアに前記明り窓を取り付ける際には、前記第１の部材の凹状領域の端面及び前記第２の部材の凸状領域の端面同士が合わさり、且つ、前記第１の部材の凸状領域の端面及び第２の部材の凹状領域の端面同士が合わさるように、前記第１の部材及び第２の部材の両者の嵌入部各々が前記窓孔内に嵌め込まれると共に、前記第１の部材側の係合部の端部が前記第１の部材と対をなす第２の部材側の凹状領域の第１の被係合部に係合される一方、前記第２の部材側の係合部の端部が前記第２の部材と対をなす第１の部材側の凹状領域の第１の被係合部に係合され、前記厚みが大の方のドアに前記明り窓を取り付ける際には、前記第１の部材の凸状領域の端面及び前記第２の部材の凸状領域の端面同士が合わさるように、前記第１の部材及び第２の部材の両者の嵌入部各々が前記窓孔内に嵌め込まれると共に、前記第１の部材側の係合部の端部が前記第１の部材と対をなす第２の部材側の凸状領域の第２の被係合部に係合される一方、前記第２の部材側の係合部の端部が前記第２の部材と対をなす第１の部材側の凸状領域の第２の被係合部に係合されている。
【発明の効果】
【００１５】
本発明では、厚みが小の方のドアに明り窓を取り付ける際には、第１の部材及び第２の部材の両者の凹状領域及び凸状領域の各端面同士が合わさるように、第１の部材及び第２の部材の両者の嵌入部が窓孔内に嵌め込まれた状態で当該嵌入部同士が互いに結合される。詳細には、第１の部材及び第２の部材の両者の凹状領域及び凸状領域の各端面同士が合わさるように、第１の部材及び第２の部材の両者の嵌入部が窓孔内に嵌め込まれると共に、第１の部材側の係合部の端部が当該第１の部材と対をなす第２の部材側の凹状領域の第１の被係合部に係合され、且つ、第２の部材側の係合部の端部が当該第２の部材と対をなす第１の部材側の凹状領域の第１の被係合部に係合される）他方、厚みが大の方のドアに明り窓を取り付ける際には、第１の部材及び第２の部材の両者の凸状領域の端面同士が合わさるように、第１の部材及び第２の部材の両者の嵌入部が窓孔内に嵌め込まれた状態で当該嵌入部同士が互いに結合される。詳細には、第１の部材及び第２の部材の両者の凸状領域の端面同士が合わさるように、第１の部材及び第２の部材の両者の嵌入部が窓孔内に嵌め込まれると共に、第１の部材側の係合部の端部が当該第１の部材と対をなす第２の部材側の凸状領域の第２の被係合部に係合され、且つ、第２の部材側の係合部の端部が第２の部材と対をなす第１の部材側の凸状領域の第２の被係合部に係合される。したがって、互いに厚みの異なる２種類のドア間の明り窓の共用化が可能となる。
【００１６】
また、上記のように、明り窓はドアの施工作業が終了した後に組み込むことができるので、ドアの運搬時や施工時において明り窓に破損などが生じないで済む。
【発明を実施するための最良の形態】
【００１７】
以下、本発明の実施の形態について添付図面に基づき詳細に説明する。
【００１８】
＜実施の形態１＞
図１及び図２を参照して、本実施の形態１に係る明り窓は、厚みが互いに異なる２種類のドア１１，１２に適用可能である。
【００１９】
かかる明り窓は、閉成時にドア１１，１２が仕切る一方の空間２１と他方の空間２２とを連通するように形成された円形の窓孔１１１，１２１に、一方の空間２１側から嵌合される第１の部材３１と、他方の空間２２側から嵌合される第２の部材３２とから構成されている。
【００２０】
第１の部材３１及び第２の部材３２の両者は、ＰＰなどの半透明の合成樹脂を素材として製作されている。これら第１の部材３１及び第２の部材３２の両者の形状は、同一平面上で略９０度回転させても互いの合同関係を保持し得る丸型形状をなしている。
【００２１】
図３を参照して、第１の部材３１は、上記の窓孔１１１，１２１の一方の開口を塞ぐ採光部３１１と、上記の窓孔１１１，１２１内に嵌め込まれたときに採光部３１１の内面側周縁部が鍔となるように、その嵌合方向（矢印Ｘ方向（図１及び図２参照））に沿って突出した嵌入部３１２とを備えている。
【００２２】
採光部３１１は、円板状をなしており、他方嵌入部３１２は、採光部３１１と同心の円筒状をなしている。
【００２３】
嵌入部３１２は、互いに線対称関係を有する２つの凹状領域３１３と、互いに線対称関係を有する２つの凸状領域３１４とを備えている。具体的には、凹状領域３１３が互いに１８０度位相した位置に対向配置されると共に凸状領域が互いに１８０度位相した位置に対向配置されるように、これら凹状領域３１３と凸状領域とが交互に連続して形成されている。
【００２４】
凹状領域３１３の長さ寸法は、当該凹状領域３１３の凹み空間に凸状領域３１４が収まるように当該凸状領域３１４の長さ寸法と略同寸に設定されている。
【００２５】
凹状領域３１３の一側端部には第１の被係合孔３１５が形成され、他方凸状領域３１４の一側端部には第２の被係合孔３１６が形成されている。加えて、凸状領域３１４の一側端部においては、第１の被係合孔３１５及び第２の被係合孔３１６に挟まれるようにして係合爪３１７が当該凸状領域３１４の端面よりも上記嵌合方向（矢印Ｘ方向）に沿って突出形成されている。
【００２６】
凸状領域３１４における係合爪３１７の形成領域両側には、切欠３１８が形成されており、これにより当該係合爪３１７が前後に撓み易いようになっている。
【００２７】
係合爪３１７の先端部は、嵌入部３１２の径方向外方に向って突出した鉤形形状をなしている。
【００２８】
上記第１の被係合孔３１５、第２の被係合孔３１６及び係合爪３１７は、それぞれ、１８０度位相した位置に対向配置（線対称配置）されている。
【００２９】
第２の部材３２は、上記の第１の部材３１と同じ構成を有している。具体的には、図３を参照して、第２の部材３２は、上記の窓孔１１１の開口を塞ぐ採光部３２１と、上記の窓孔１１１，１２１内に嵌め込まれたときに採光部３２１の内側周縁部が鍔となるようにその嵌合方向（矢印Ｙ方向（図１及び図２参照））に沿って突出した嵌入部３２２とを備えている。
【００３０】
採光部３２１は、円板状をなしており、他方嵌入部３２２は、採光部３２１と同心の円筒状をなしている。
【００３１】
嵌入部３２２は、互いに線対称関係を有する２つの凹状領域３２３と、互いに線対称関係を有する２つの凸状領域３２４とを備えている。具体的には、凹状領域３２３が互いに１８０度位相した位置に配置されると共に凸状領域３２４が互いに１８０度位相した位置に配置されるように、これら凹状領域３２３と凸状領域３２４とが交互に連続して形成されている。
【００３２】
凹状領域３２３の長さ寸法は、当該凹状領域３２３の凹み空間に凸状領域３２４が収まるように当該凸状領域３２４の長さ寸法と略同寸に設定されている。
【００３３】
凹状領域３２３の一側端部には第１の被係合孔３２５が形成され、他方凸状領域３２４の一側端部には第２の被係合孔３２６が形成されている。加えて、凸状領域３２４の一側端部においては、第１の被係合孔３２５及び第２の被係合孔３２６に挟まれるようにして係合爪３２７が当該凸状領域３２４の端面よりも上記嵌合方向（矢印Ｙ方向）に沿って形成されている。
【００３４】
凸状領域３２４における係合爪３２７の形成領域両側には、それぞれ、切欠３２８が形成されており、これにより当該係合爪３２７が前後に撓むようになっている。
【００３５】
係合爪３２７の先端部は、嵌入部３２２の径方向外方に向って突出した鉤形形状をなしている。
【００３６】
上記の第１の被係合孔３２５、第２の被係合孔３２６及び係合爪３２７は、１８０度位相した位置に対向配置（線対称配置）されている。
【００３７】
上記の第１の部材３１及び第２の部材３２同士を結合する際には、第１の部材３１側の係合爪３１７の先端部が第１の部材３１と対をなす第２の部材３２側の第１の被係合孔３２５又は第２の被係合孔３２６に係合され、他方第２の部材３２側の係合爪３２７の先端部が第２の部材３２と対をなす第１の部材３１側の第１の被係合孔３１５又は第２の被係合孔３２６に係合される。それゆえ、本実施の形態１においては、第１の部材３１側の第１の被係合孔３１５、第２の被係合孔３１６及び係合爪３１７、並びに第２の部材３２側の第１の被係合孔３２５、第２の被係合孔３２６及び係合爪３２７が互いに対をなす第１の部材３１及び第２の部材３２の嵌入部３１２同士を結合する結合手段として機能する。
【００３８】
ここで、本明り窓のドアへの取付手順の一例について説明する。因みに、本明り窓の取付はドアの据え付けが完了した後に行われることを申し述べておく。
【００３９】
図１（Ａ）及び図２（Ａ）を参照して、厚みが小の方のドア１１に取り付ける場合には、まず、第１の部材３１の嵌入部３１２を一方の空間２１側からドア１１の窓孔１１１内に嵌め込む。次に、第１の部材３１の凹状領域３１３の端面及び第２の部材３２の凸状領域３２４の端面同士が合わさり、且つ、第１の部材３１の凸状領域３１４の端面及び第２の部材３２の凹状領域３２３の端面同士が合わさるようにして、第２の部材３２の嵌入部３２２を他方の空間２２側からドア１１の窓孔１１１内に嵌め込む。そして、第１の部材３１側の凸状領域３１４から突出した係合爪３１７の先端部を第１の部材３１と対をなす第２の部材３２側の凹状領域３２３の第１の被係合孔３２５に係合すると共に、第２の部材３２側の凸状領域３２４から突出した係合爪３２７の先端部を第２の部材３２と対をなす第１の部材３１側の凹状領域３１３の第１の被係合爪３１７に係合する。これにより、互いに対をなす第１の部材３１及び第２の部材３２同士がドア１１の窓孔１１１内で結合することになる。
【００４０】
このとき、ドア１１の厚みの公差が最小であると、図１（Ａ）に示すように、第１の部材３１及び第２の部材３２の両者の係合爪３１７，３２７は、その先端部が直立した状態で第１の部材３１及び第２の部材３２の両者の第１の被係合孔３１５，３２５に係合する。
【００４１】
他方、ドア１１の厚みの公差が最大であると、図２（Ａ）に示すように、第１の部材３１及び第２の部材３２の両者の係合爪３１７，３２７は、その先端部が後ろ側に撓んだ状態で第１の部材３１及び第２の部材３２の両者の第１の被係合孔３１５，３２５に係合する。
【００４２】
厚みが大の方のドア１２に取り付ける場合には、図１（Ｂ）及び図２（Ｂ）に示すように、まず、第１の部材３１の嵌入部３１２を一方の空間２１側から嵌め込む。次に、第１の部材３１の凸状領域３１４の端面及び第２の部材３２の凸状領域３２４の端面同士が合わさるようにして、第２の部材３２の嵌入部３２２を他方の空間２２側からドア１２の窓孔１２１内に嵌め込む。そして、第１の部材３１側の凸状領域３１４から突出した係合爪３１７の先端部を第１の部材３１と対をなす第２の部材３２側の凸状領域３２４の第２の被係合孔３２６に係合すると共に、第２の部材３２側と凸状領域３２４から突出した係合爪３２７の先端部を第２の部材３２と対をなす第１の部材３１側の凸状領域３２４の第２の被係合孔３１６に係合する。これにより、互いに対をなす第１の部材３１及び第２の部材３２同士がドア１２の窓孔１２１内で結合することになる。
【００４３】
このとき、ドア１２の厚みの公差が最小であると、図１（Ｂ）に示すように、第１の部材３１及び第２の部材３２の両者の係合爪３１７，３２７は、その先端部が直立した状態で第１の部材３１及び第２の部材３２の第２の被係合孔３１６，３２６に係合する。
【００４４】
他方、ドア１２の厚みの公差が最大であると、図２（Ｂ）に示すように、第１の部材３１及び第２の部材３２の両者の係合爪３１７，３２７は、その先端部が後ろ側に撓わんだ状態で第１の部材３１及び第２の部材３２の第２の被係合孔３１６，３２６に係合する。
【００４５】
以上の説明から明らかな通り、本実施の形態１によると、以下の作用・効果を奏する。
【００４６】
（１）厚みが小の方のドア１１に明り窓を取り付ける場合には、第１の部材３１及び第２の部材３２の両者の凹状領域３１３，３２３及び凸状領域３１４，３２４の各端面同士を合わせるように、第１の部材３１及び第２の部材３２の両者の嵌入部３１２，３２２をドア１１の窓孔１１１内に嵌め込んで結合すればよい。他方、厚みが大の方のドア１２に明り窓を取り付ける場合には、第１の部材３１及び第２の部材３２の両者の凸状領域３１４，３２４の端面同士を合わせるように、第１の部材３１及び第２の部材３２の両者の嵌入部３１２，３２２をドア１２の窓孔１２１内に嵌め込んで結合すればよい。したがって、１つの明り窓で互いに厚みの異なる２種類のドア１１，１２での共用化が可能となる。
【００４７】
（２）本明り窓は、ドア１１，１２の施工作業が終了した後に組み込むことができるので、ドア１１，１２の運搬時や施工時において破損などが生じない。
【００４８】
（３）ドア１１，１２の厚みの公差が最小であると、第１の部材３１及び第２の部材３２の両者の係合爪３１７，３２７は、ドア１１，１２の厚みの規格に応じて、その先端部が直立状態で第１の部材３１及び第２の部材３２の両者の第１の被係合孔３１５，３２５又は第２の被係合孔３１６，３２６に係合する。他方、ドア１１，１２の厚みの公差が最大であると、第１の部材３１及び第２の部材３２の両者の係合爪３１７，３２７は、ドア１１，１２の厚みの規格に応じて、その先端部が撓わんだ状態で第１の部材３１及び第２の部材３２の両者の第１の被係合孔３１５，３２５又は第２の被係合孔３１６，３２６に係合する。したがって、同一規格の厚みのドアに明り窓を取り付ける際に、本明り窓自体でドアの交差を吸収することができる。
【００４９】
（４）第１の部材３１及び第２の部材３２の両者の第１の被係合孔３１５，３２５、第２の被係合孔３１６，３２６及び係合爪３１７，３２７は、互いに１８０度位相した位置（線対称位置）に配置されているので、第１の被係合孔３１５，３２５又は第２の被係合孔３１６，３２６と係合爪３１７，３２７との位置合わせ（換言すると、第１の部材３１側の凹状領域３１３及び凸状領域３１４と第２の部材３２側の凹状領域３２３及び凸状領域３２４との位置合わせ）が容易となる。
【００５０】
＜実施の形態２＞
図７及び図８を参照して、本実施の形態２に係る明り窓の特徴は、互いに対をなす第１の部材３１及び第２の部材３２の両者の形状は、同一平面上で９０度回転させてもその合同関係を保持し得る角型形状をなしている点にあり、その他の構成は実施の形態１と同様である。
【００５１】
第１の部材３１は、図７に示すように、ドア１１，１２の正方形の窓孔１１１，１２１（図５及び図６参照）の一方の開口を塞ぐ正方形の採光部３１１と、窓孔１１１，１２１内に嵌め込まれたときに採光部３１１の内面側周縁部が鍔となるようにその嵌合方向（矢印Ｘ方向（図５及び図６参照））に沿って突出した四角筒状の嵌入部３１２とを備えている。四角筒状の嵌入部３１２は、その中心を正方形の採光部３１１の中心と同じくしている。
【００５２】
嵌入部３１２は、対角線Ｌ１に関連して対角をなす隅部において略Ｌ字状に延び且つ当該対角線Ｌ１を挟んで互いに線対称関係を有する２つの凹状領域３１３と、対角線Ｌ２に関連して対角をなす隅部において略Ｌ字状に延び且つ当該対角線Ｌ２を挟んで互いに線対称関係を有する２つの凸状領域３１４とを備え、これら凹状領域３１３と凸状領域とが交互に連続して形成されている。
【００５３】
第２の部材３２は、図８に示すように、上記窓孔１１１，１１２の開口を塞ぐ略正方形の採光部３２１と、上記窓１１１，１２１内に嵌め込まれたときに採光部３２１の内面側周縁部が鍔となるようにその嵌合方向（矢印Ｙ方向（図５及び図６参照））に沿って突出した四角筒状の嵌入部３２２とを備えている。四角筒状の嵌入部３２２は、その中心を正方形の採光部３２１の中心と同じくしている。
【００５４】
上記構成において、厚みが小の方のドア１１に明り窓を取り付ける際には、図５（Ａ）及び図６（Ａ）に示すように、第１の部材３１及び第２の部材３２の両者の凹状領域３１３，３２３及び凸状領域３１４，３２４の各端面同士を合わせるようにして、第１の部材３１及び第２の部材３２の両者の嵌入部３１２，３２２を窓孔１１１内に嵌め込むと共に、第１の部材３１側の係合爪３１７を第１の部材３１と対をなす第２の部材３２側の凹状領域３２３の第１の被係合孔３２５に係合し、且つ、第２の部材３２側の係合爪３２７を第２の部材３２と対をなす第１の部材３１側の凹状領域３１３の第１の被係合孔３１５部に係合する。
【００５５】
他方、厚みが大の方のドア１２に明り窓を取り付ける際には、図５（Ｂ）及び図６（Ｂ）に示すように、第１の部材３１及び第２の部材３２の両者の凸状領域３１４，３２４の端面同士を合わせるようにして、第１の部材３１及び第２の部材３２の両者の嵌入部３１２，３２２を窓１２１内に嵌め込むと共に、第１の部材３１側の係合爪３１７を第１の部材３１と対をなす第２の部材３２側の凸状領域３２４の第２の被係合孔３２６に係合し、且つ、第２の部材３２側の係合爪３２７を第２の部材３２と対をなす第１の部材３１側の凸状領域３１４の第２の被係合孔３１６に係合する。
【００５６】
また、ドア１１，１２の厚みの公差が最小であると、図５（Ａ）及び図５（Ｂ）に示すように、ドア１１，１２の厚み規格に応じて、第１の部材３１及び第２の部材３２の両者の係合爪３１７，３２７は、直立状態で第１の部材３１及び第２の部材３２の両者の第１の被係合孔３１５，３２５又は第２の被係合孔３１６，３２６に係合する。
【００５７】
他方、ドア１１，１２の厚みの公差が最大であると、図６（Ａ）及び図６（Ｂ）に示すように、ドア１１，１２の厚み規格に応じて、第１の部材３１及び第２の部材３２の係合爪３１７，３２７は、撓わんだ状態で第１の部材３１及び第２の部材３２の両者の第１の被係合孔３１５，３２５又は第２の被係合孔３１６，３２６に係合する。
【００５８】
以上の説明から明らかな通り、本実施の形態２によると、上記実施の形態１の（１）〜（４）と同様の作用・効果を奏する。
【００５９】
なお、本発明は上記実施の形態に限定されるものではなく、本明細書に添付した特許請求の範囲内での種々の設計変更及び修正を加え得ることは勿論である。
【産業上の利用可能性】
【００６０】
本発明では、互いに厚みの異なる２種類のドア間での共用を可能とし、且つ、ドアの運搬時や施工時に破損などが生じないゆえ、ドアの窓孔に嵌め込まれる明り窓及びその取付構造として有用である。
【図面の簡単な説明】
【００６１】
【図１】本発明の実施の形態１に係る明り窓を厚み公差が最小のドアに取り付けた状態を示す断面図である。
【図２】同明り窓を厚み公差が最大のドアに取り付けた状態を示す断面図である。
【図３】同明り窓の第１の部材の構成を示しており、同図（Ａ）は平面図、同図（Ｂ）は同図（Ａ）のＡ矢視図、同図（Ｃ）は同図（Ａ）のＢ−Ｂ断面図、同図（Ｄ）は同図（Ａ）のＣ矢視図である。
【図４】同明り窓の第２の部材の構成を示しており、同図（Ａ）は平面図、同図（Ｂ）は同図（Ｂ）のＤ矢視図、同図（Ｃ）は同図（Ａ）のＥ−Ｅ断面図、同図（Ｄ）は同図（Ａ）のＦ矢視図である。
【図５】本発明の実施の形態２に係る明り窓を厚み公差が最小のドアに取り付けた状態を示す断面図である。
【図６】同明り窓を厚み公差が最大のドアに取り付けた状態を示す断面図である。
【図７】同明り窓の第１の部材の構成を示しており、同図（Ａ）は平面図、同図（Ｂ）は同図（Ａ）のＧ矢視図、同図（Ｃ）は同図（Ａ）のＨ矢視図である。
【図８】同明り窓の第２の部材の構成を示しており、同図（Ａ）は平面図、同図（Ｂ）は同図（Ｂ）のＩ矢視図、同図（Ｃ）は同図（Ａ）のＪ矢視図である。
【符号の説明】
【００６２】
１１，１２  ドア
１１１，１２１  窓孔
２１  一方の空間
２２  他方の空間
３１  第１の部材
３１１  採光部
３１２  嵌入部
３１３  凹状領域
３１４  凸状領域
３１５  第１の被係合孔
３１６  第２の被係合孔
３１７  係合爪
３２  第２の部材
３２１  採光部
３２２  嵌入部
３２３  凹状領域
３２４  凸状領域
３２５  第１の被係合孔
３２６  第２の被係合孔
３２７  係合爪
【図１】
0004782611.tif 000002
【図２】
0004782611.tif 000003
【図３】
0004782611.tif 000004
【図４】
0004782611.tif 000005
【図５】
0004782611.tif 000006
【図６】
0004782611.tif 000007
【図７】
0004782611.tif 000008
【図８】
0004782611.tif 000009